(57)【要約】【課題】管電流以外の電流量に影響されること無く、大型化せずに、安価な部品を使用し、所定の管電流になるよう制御可能な放電灯点灯装置を提供すること。【解決手段】フィラメント電流の流れるフィラメント電流経路（第３フィラメント電流経路９ｉ３）途中から前記電流経路（第３フィラメント電流経路９ｉ３）外へ電流を流す電流検出回路(管電流検出部８）が設けられ、電流検出回路(管電流検出部８）に管電流検出手段（抵抗Ｒ３））が接続されている。また、電流制御手段（管電流制御回路３及び制御回路１）は負荷回路２を制御してフィラメントに間（Ｆｍ１ａ，Ｆｍ１ｂ間、Ｆｍ２ａ，Ｆｍ２ｂ間）高周波点灯電圧を印加して、検出部(管電流検出部８）で検出される検出信号の変動に基づき管電流が一定となるように前記高周波点灯電圧の周波数を制御するようになっている。【選択図】  図１
2011187294.tif 000002
【特許請求の範囲】
【請求項１】
放電灯のフィラメント間にフィラメント電流を流して前記フィラメントを予熱可能に且つ前記フィラメン間に高周波点灯電圧を印加可能に設けられた負荷回路と、
前記負荷回路に高周波交流を供給して、前記フィラメント電流を流すことにより前記フィラメントを予熱させた後に、前記フィラメント間に前記高周波点灯電圧を印加して前記放電灯に管電流を流す高周波発生手段と、
前記放電灯に流れる管電流を検出させる管電流検出手段と、
前記管電流検出手段の検出結果に基づいて前記放電灯に流れる電流が所定の管電流になるように前記高周波交流を制御する電流制御手段と、
を備えた放電灯点灯装置であって、
前記管電流検出手段は前記フィラメント電流の流れるフィラメント電流経路外に設けられ且つ前記フィラメント電流経路途中に接続された検出部であり、前記検出部からの検出信号が前記電流制御手段に入力されると共に、
前記電流制御手段は、前記負荷回路を制御して前記フィラメント間に高周波点灯電圧を印加して、前記検出部で検出される検出信号の変動に基づき前記管電流が所定の値となるように前記高周波点灯電圧の周波数を制御することを特徴とする放電灯点灯装置。
【請求項２】
請求項１に記載の放電灯点灯装置において、前記放電灯は１又は2以上設けられていることを特徴とする放電灯点灯装置。
【請求項３】
請求項１又は２に記載の放電灯点灯装置において、前記電流制御手段は駆動回路でＯＮ・ＯＦＦ制御されて高周波交流を発生させるスイッチング素子及び前記検出信号が入力される管電流制御回路を備え、前記管電流制御回路は、前記スイッチング素子の動作制御開始時に前記所定の共振周波数の高周波交流を前記予熱用共振回路に供給して前記予熱共振回路を共振させることにより、前記フィラメント電流を流して前記フィラメントを発熱させ予熱した後、前記スイッチング素子を動作制御して前記高周波交流の前記共振周波数をずらすことにより前記点灯交流用共振回路を共振させて、前記フィラメント間に高周波点灯電圧を印加して、且つ前記電流検出部で検出される電圧の変動に基づき前記管電流が一定となるように前記スイッチング素子により前記高周波点灯電圧の周波数を制御することを特徴とする放電灯点灯装置。
【請求項４】
請求項３に記載の放電灯点灯装置において、前記負荷回路は前記高周波交流が供給される一次巻線及び前記一次巻線に磁気結合された二次巻線が設けられたトランスを備えていると共に、前記点灯交流用共振回路は前記一次巻線を備え、前記予熱用共振回路は前記二次巻線を備えることを特徴とする放電灯点灯装置。
【発明の詳細な説明】
【技術分野】
【０００１】
この発明は、放電灯の管電流が所定の電流になるよう制御する放電灯点灯装置に関するものである。
【背景技術】
【０００２】
従来の放電灯点灯装置には、放電灯に流れる管電流の変化を回路電圧の変化から間接的に検出して、この回路電圧の変化に基づき放電灯点灯に流れる電流が所定の電流になるよう制御するようにしたものがある。
【０００３】
この管電流の検出方法としては、放電灯点灯回路のスイッチ素子の出力に抵抗を挿入して、その抵抗の電圧を検出する抵抗電圧検出方法が知られている（例えば、特許文献１参照）。また、他の電圧の検出方法としては、放電灯の出力にカレントトランスを挿入して、そのトランスの2次側の電圧を検出するトランス電圧検出方法等が知られている。
【先行技術文献】
【特許文献】
【０００４】
【特許文献１】特開平８−１１２８９号公報
【発明の概要】
【発明が解決しようとする課題】
【０００５】
しかし、前者の抵抗電圧検出方法では、スイッチ素子に流入する電流が放電灯の管電流に加え、フィラメントに流れる電流やスイッチ素子の発振ノイズを軽減する目的で付加されるスナバー回路の電流及び放電灯の異常を検出する目的で付加される保護回路の電流の合成電流となる為、管電流はそれ以外の電流量に影響されるという問題がある。
【０００６】
また、後者のトランス電圧検出方法では、放電灯の出力にトランスを挿入する為、管電流のみを検出可能であり、フィラメント電流などの電流量に影響されない点で前者の課題を解決可能である。しかし、放電灯の出力にトランスを用いるために、装置が大型化すると共に、それ自体が高価で大きく材料費が高くなるという問題がある。
【０００７】
そこで、この発明は、管電流以外の電流量に影響されること無く、大型化せずに、安価な部品を使用し、所定の管電流になるよう制御可能な放電灯点灯装置を提供することを目的とするものである。
【課題を解決するための手段】
【０００８】
この目的を達成するため、この発明は、放電灯のフィラメントにフィラメント電流を流して前記フィラメントを予熱可能に且つ前記フィラメント間に高周波点灯電圧を印加可能に設けられた負荷回路と、前記負荷回路に高周波交流を供給して、前記フィラメント電流を流すことにより前記フィラメントを予熱させた後に、前記フィラメント間に前記高周波点灯電圧を印加して前記放電灯に管電流を流す高周波発生手段と、前記放電灯に流れる管電流を検出させる管電流検出手段と、前記管電流検出手段の検出結果に基づいて前記放電灯に流れる電流が所定の管電流になるように前記高周波交流を制御する電流制御手段と、を備えた放電灯点灯装置であって、前記管電流検出手段は前記フィラメント電流の流れるフィラメント電流経路外に設けられ且つ前記フィラメント電流経路途中に接続された検出部であり、前記検出部からの検出信号が前記電流制御手段に入力されると共に、前記電流制御手段は前記負荷回路を制御して前記フィラメント間に高周波点灯電圧を印加して、前記検出部で検出される検出信号の変動に基づき前記管電流が所定の値となるように前記高周波点灯電圧の周波数を制御する放電灯点灯装置としたことを特徴とする。
【発明の効果】
【０００９】
この構成によれば、管電流以外の電流量に影響されること無く、大型化せずに、安価な部品を使用し、所定の管電流になるよう制御できる。
【図面の簡単な説明】
【００１０】
【図１】この発明に係る放電灯点灯装置の放電灯制御回路図である。
【発明を実施するための形態】
【００１１】
以下、この発明の実施の形態を図1に基づいて説明する。
[構成]
図1は、この発明にかかる放電灯点灯装置を示したものである。この放電灯点灯装置は、放電灯点灯用の高周波の交流電圧（高周波点灯電圧）を発生させる制御回路（高周波交流発生手段）１と、この制御回路１ににより動作制御される負荷回路２と、管電流制御回路３を有する。
＜制御回路１＞
この制御回路１は、直流電源Ｅ１，スイッチング素子ＴＲ１，ＴＲ２、スナバーコンデンサCl，C２，駆動回路４を有する。この直流電源Ｅ１のプラス側にはプラス側配線Ｅ１ａが接続され、直流電源Ｅ１のマイナス側にはマイナス側配線（アース側配線）Ｅ１ｂが接続されている。
【００１２】
尚、直流電源Ｅ１は、例えば商用電源の交流を脈流のある直流に整流する入力平滑回路(図示せず)が用いられている。また、スイッチング素子ＴＲ１，ＴＲ２は、プラス側配線Ｅ１ａとマイナス側配線Ｅ１ｂとの間に直列に接続されている。尚、５はスイッチング素子ＴＲ１，ＴＲ２を直列に接続する素子接続線である。
【００１３】
更に、スナバーコンデンサClはスイッチング素子ＴＲ１に並列に接続され、スナバーコンデンサC２はスイッチング素子ＴＲ２に並列に接続されている。
【００１４】
また、駆動回路４は、スイッチング素子ＴＲ１，ＴＲ２のベースに抵抗Ｒ１を介してＯＮ・ＯＦＦ制御電圧を印加することにより、スイッチング素子ＴＲ１をＯＮ・ＯＦＦ制御するようになっている。また、駆動回路４は、スイッチング素子ＴＲ２のベースに抵抗Ｒ２をＯＮ・ＯＦＦ制御電圧を印加することにより、スイッチング素子ＴＲ２をＯＮ・ＯＦＦ制御するようになっている。
＜負荷回路２＞
この負荷回路２は、インダクタンスであるトランスＴ１を有する。すなわち、トランスＴ１は、インダクタンスである一次コイル（一次巻線）Ｌ１と、インダクタンスである３つの二次コイル（二次巻線）Ｌ２ａ，Ｌ２ｂ，Ｌ２ｃと、一次コイルＬ１と二次コイルＬ２ａ，Ｌ２ｂ，Ｌ２ｃとの間の鉄心Ｆcを備えている。
【００１５】
しかも、負荷回路２は符号を省略した入力側の直列回路（入力側直列共振回路すなわち点灯交流用共振回路）を有する。この入力側の直列回路は、配線６を介して素子接続線５に一端が接続されたコンデンサＣ３と、コンデンサＣ３の他端と負荷接続線７の一端との間に接続されたトランスＴ１の一次コイルＬ１と、負荷接続線７とマイナス側配線Ｅ１ｂとの間に介装されたコンデンサＣ７を備えている。
【００１６】
また、負荷回路２は、負荷接続線７の他端に直列に接続される第１，第２放電灯（負荷である放電管）Ｄｔ１，Ｄｔ２と、この第２放電灯Ｄｔ２とマイナス側配線Ｅ１ｂとの間に接続される管電流検出部（管電流検出手段）８を管電圧検出部として有する。尚、コンデンサＣ７は、第１，第２放電灯Ｄｔ１，Ｄｔ２及び管電流検出部８と並列に設けられている。
【００１７】
第１放電灯Ｄｔ１は、密閉された真空チューブＴｕ１と、真空チューブＴｕ１の両端部内に設けられたフィラメントＦｍ１ａ，Ｆｍ１ｂを有する。尚、フィラメントＦｍ１ａには負荷接続線７の他端が接続されている。また、第２放電灯Ｄｔ２は、密閉された真空チューブＴｕ２と、真空チューブＴｕ２の両端部内に設けられたフィラメントＦｍ２ａ，Ｆｍ２ｂを有する。
【００１８】
更に、負荷回路２は予熱回路９を有する。この予熱回路（予熱用共振回路）９は、符号を省略した３つの第１，第２，第３予熱直列回路（第１，第２，第３予熱用直列共振回路）を備えている。
【００１９】
この第１予熱直列回路は、放電灯のフィラメントＦｍ１ａに直列に接続された二次コイルＬ２ａ，コンデンサＣ４を有する。この二次コイルＬ２ａ，コンデンサＣ４，フィラメントＦｍ１ａは第１フィラメント電流経路９ｉ１を形成している。
【００２０】
第２予熱直列回路は、フィラメントＦｍ２ａに直列に接続された二次コイルＬ２ｂ，コンデンサＣ５を有する。この二次コイルＬ２ｂ，コンデンサＣ５，フィラメントＦｍ１ｂ及びフィラメントＦｍ２ａは、第２フィラメント電流経路９ｉ２を形成している。
【００２１】
第３予熱直列回路は、フィラメントＦｍ２ｂに直列に接続された二次コイルＬ２ｃ，コンデンサＣ６を有する。この二次コイルＬ２ｃ，コンデンサＣ６及びフィラメントＦｍ２ｂは、第３フィラメント電流経路９ｉ３を形成している。
尚、１０は、フィラメントＦｍ２ｂと二次コイル２ｃに一端とを接続する接続線である。また、負荷回路２は、上述した入力側の直列回路及び第１〜第３予熱直列回路等により特定の高周波で共振する負荷回路共振周波数を有する。
（管電流検出部８）
また、接続線１０とマイナス側配線Ｅ１ｂとの間には管電流検出部８が配設されている。この管電流検出部８は、アノード側がマイナス側配線Ｅ１ｂに接続され且つカソード側が接続線１０に接続されたダイオードＤ１と、接続線１０にアノード側が接続されたダイオードＤ２と、このダイオードＤ２のカソード側とマイナス側配線Ｅ１ｂとの間に接続された抵抗Ｒ３を有する。これにより、ダイオードＤ１はマイナス側配線Ｅ１ｂ側から接続線１０側に電流・電圧を供給可能に設けられ、ダイオードＤ２は接続線１０側からマイナス側配線Ｅ１ｂ側に電流・電圧を供給可能に設けられている。
＜管電流制御回路３＞
この管電流制御回路３は、管電流検出部８のダイオードＤ２と抵抗Ｒ３との間で発生する半波電圧を検出し平均化する平滑回路１１と、この平滑回路１１で平滑・平均化された検出電圧がマイナス側に入力される比較回路１２と、この比較回路１２のプラス側とマイナス側配線Ｅ１ｂとの間に介装された直流電源Ｅ２を有する。
【００２２】
この直流電源Ｅ２は、比較回路１２のプラス側に基準電圧を印加するようになっている。また、比較回路１２は、検出電圧と基準電圧を比較して差分電圧を出力し、この差分電圧を駆動回路４に入力するようになっている。そして、駆動回路４は、比較回路１２からの出力である差分電圧を受けて、検出電圧が基準電圧（直流電源電圧）と同じになるように、出力周波数を調整（制御）するようになっている。すなわち、管電流検出部８で発生した半波電圧を抵抗R4及びコンデンサC8にて平均化した検出電圧とし、管電流の目標となる直流電源電圧を直流電源Ｅ２から供給される基準電圧としたとき、比較回路１２は検出電圧が基準電圧と同じになるよう駆動回路４の出力周波数を調整する。
[作用]
次に、このような構成の放電灯点灯装置の作用を説明する。
【００２３】
このような構成において制御回路１の駆動回路４は、スイッチング素子ＴＲ１，ＴＲ２のベースに抵抗Ｒ１，Ｒ２を介してＯＮ・ＯＦＦ制御電圧（制御信号）を交互に供給して、スイッチング素子ＴＲ１，ＴＲ２を交互にＯＮ・ＯＦＦさせ、直流電源Ｅ１からの直流（直流電圧・直流電流）をスイッチング素子ＴＲ１，ＴＲ２により高周波交流（高周波交流電圧・高周波交流電流）として負荷回路２の入力側の直列回路のコンデンサＣ３に入力する。
【００２４】
この際、制御回路１は、負荷回路２を負荷回路共振周波数よりも十分高い周波数でおよそ所定の予熱時間（例えば、1秒間）発振するように、駆動回路４により高周波交流を負荷回路２に供給する。
【００２５】
これにより予熱回路９の二次コイルＬ２ａ〜Ｌ２ｃに交流（交流電圧・交流電流）が発生する。そして、この交流が二次コイルＬ２ａを有する第１予熱直列回路の第１フィラメント電流経路９ｉ１に流れて、第１予熱直列回路を構成するフィラメントＦｍ１ａが発熱し予熱される。同様に、交流が二次コイルＬ２ｂを有する第２予熱直回路の第２フィラメント電流経路９ｉ２に流れて、第２直列回路を構成するフィラメントＦｍ１ｂ，Ｆｍ２ａが発熱し予熱される。更に、交流が二次コイルＬ２ｃを有する第３予熱直列回路の第３フィラメント電流経路９ｉ３に流れて、第３直列回路を構成するフィラメントＦｍ２ｂが発熱し予熱される。
【００２６】
そして、駆動回路４は、所定の予熱時間が経過すると、制御回路１から負荷回路２に供給される高周波交流の周波数が低くなる方向に遷移させる。
【００２７】
これに伴い、第１放電灯Ｄｔ１のフィラメントＦｍ１ａ，Ｆｍ１ｂ間に印加されている交流電圧により、フィラメントＦｍ１ａ，Ｆｍ１ｂ間に管電流が流れて、第１放電灯Ｄｔ１が点灯する。同時に、第２放電灯Ｄｔ２のフィラメントＦｍ２ａ，Ｆｍ２ｂ間に印加されている交流電圧により、フィラメントＦｍ２ａ，Ｆｍ２ｂ間に管電流が流れて、第２放電灯Ｄｔ２が点灯する。
【００２８】
この際、管電流検出部８のダイオードＤ２と抵抗Ｒ３との間の半波電圧が管電流制御回路３で検出される。すなわち、ダイオードＤ２と抵抗Ｒ３との間の半波電圧が管電流制御回路３の平滑回路１１に入力されて、この半波電圧が平滑回路１１の抵抗Ｒ１とコンデンサＣ８により平滑されて平均化した検出電圧となり、この検出電圧が比較回路１２のマイナス側に入力される。一方、この比較回路１２のプラス側には管電流の目標値を決定する基準電圧が直流電源Ｅ２から入力されている。
【００２９】
そして、比較回路１２は、検出電圧と基準電圧とを比較して、検出電圧と基準電圧の差分電圧を出力して制御回路１の駆動回路４に入力する。この駆動回路４は、比較回路１２からの出力である差分電圧を受けて、検出電圧が基準電圧（直流電源電圧）と同じになるように、駆動回路４の出力周波数を調整して、制御回路１から負荷回路２に供給される高周波電流の周波数を調整（制御）する。
【００３０】
このように第１，第２放電灯Ｄｔ１，Ｄｔ２内に管電流が流れ、この管電流のみによりダイオードＤ２と抵抗Ｒ３との間に生ずる半波電圧を管電流制御回路３で検出することができるので、第１，第２放電灯Ｄｔ１，Ｄｔ２内に流れる管電流のみに基づいて、第１，第２放電灯Ｄｔ１，Ｄｔ２内を流れる管電流が一定の所定値（目標値）となるように、制御回路１の駆動回路４により制御できる。
【００３１】
以上説明したように、この発明の実施の形態の放電灯点灯装置は、放電灯（第１，第２放電灯Ｄｔ１，Ｄｔ２）のフィラメント（Ｆｍ１ａ，Ｆｍ１ｂ間、Ｆｍ２ａ，Ｆｍ２ｂ間）にフィラメント電流を流して前記フィラメント（Ｆｍ１ａ，Ｆｍ１ｂ、Ｆｍ２ａ，Ｆｍ２ｂ）を予熱可能に且つ前記フィラメント間（Ｆｍ１ａ，Ｆｍ１ｂ間、Ｆｍ２ａ，Ｆｍ２ｂ間）に高周波点灯電圧を印加可能に設けられた負荷回路２を有する。また、放電灯点灯装置は、前記負荷回路２に高周波交流を供給して、前記フィラメント電流を流すことにより前記フィラメント（Ｆｍ１ａ，Ｆｍ１ｂ、Ｆｍ２ａ，Ｆｍ２ｂ）を予熱させた後に、前記フィラメント間（Ｆｍ１ａ，Ｆｍ１ｂ間、Ｆｍ２ａ，Ｆｍ２ｂ間）に前記高周波点灯電圧を印加して前記放電灯（第１，第２放電灯Ｄｔ１，Ｄｔ２）に管電流を流す高周波発生手段（制御回路１）を有する。更に、放電灯点灯装置は、前記放電灯（第１，第２放電灯Ｄｔ１，Ｄｔ２）に流れる管電流を検出させる管電流検出手段(管電流検出部８）と、前記管電流検出手段(管電流検出部８）の検出結果に基づいて前記放電灯（第１，第２放電灯Ｄｔ１，Ｄｔ２）に流れる電流が所定の管電流になるように前記高周波交流を制御する電流制御手段（管電流制御回路３及び制御回路１）と、を備えている。しかも、前記管電流検出手段(管電流検出部８）は前記フィラメント電流の流れるフィラメント電流経路（第３フィラメント電流経路９ｉ３）外に設けられ且つ前記フィラメント電流経路（第３フィラメント電流経路９ｉ３）途中に接続された検出部(管電流検出部８）であり、前記検出部(管電流検出部８）からの検出信号が前記電流制御手段（管電流制御回路３及び制御回路１）に入力される。更に、前記電流制御手段（管電流制御回路３及び制御回路１）は前記負荷回路２を制御して前記フィラメントに間（Ｆｍ１ａ，Ｆｍ１ｂ間、Ｆｍ２ａ，Ｆｍ２ｂ間）高周波点灯電圧を印加して、前記検出部(管電流検出部８）で検出される検出信号の変動に基づき前記管電流が一定となるように前記高周波点灯電圧の周波数を制御するようになっている。
【００３２】
この構成によれば、放電灯（第１，第２放電灯Ｄｔ１，Ｄｔ２）内に管電流を流して、放電灯（第１，第２放電灯Ｄｔ１，Ｄｔ２）を点灯させるようにすることができるので、ダイオードＤ２と抵抗Ｒ３との間に生ずる管電流のみによる半波電圧を管電流検出手段（管電流検出部８）で検出することができる。これにより、放電灯（第１，第２放電灯Ｄｔ１，Ｄｔ２）内に流れる管電流のみに基づいて、放電灯（第１，第２放電灯Ｄｔ１，Ｄｔ２）内を流れる管電流が一定の所定値（目標値）となるように、電流制御手段（管電流制御回路３及び制御回路１）により負荷回路２を制御できる。この結果、管電流以外の電流量に影響されること無く、大型化せずに、安価な部品を使用し、所定の管電流になるよう制御できる。
【００３３】
また、この発明の実施の形態の放電灯点灯装置において、前記放電灯（第１，第２放電灯Ｄｔ１，Ｄｔ２）は２つ設けられている。尚、上述した実施例では、第１，第２放電灯Ｄｔ１，Ｄｔ２の２つが設けられているが、必ずしもこれに限定されるものではない。例えば、放電灯は、第１，第２放電灯Ｄｔ１，Ｄｔ２の一方のみでも良いし、３以上設けられていても良い。また、放電灯を複数（２以上）設ける場合には、図１に示したように複数の放電灯が直列に接続された状態で放電電流が直列で流れるようにすると良いが、必ずしもこれに限定されるものではない。
【００３４】
更に、この発明の実施の形態の放電灯点灯装置において、前記電流制御手段（管電流制御回路３及び制御回路１）は駆動回路４でＯＮ・ＯＦＦ制御されて高周波交流を発生させるスイッチング素子（TR1,TR2）及び前記検出信号が入力される管電流制御回路３を備えている。しかも、前記管電流制御回路３は、前記スイッチング素子の動作制御開始時に前記所定の共振周波数の高周波交流を前記予熱用共振回路（予熱回路９）に供給して前記予熱共振回路（予熱回路９）を共振させることにより、前記フィラメント電流を流して前記フィラメント（Ｆｍ１ａ，Ｆｍ１ｂ、Ｆｍ２ａ，Ｆｍ２ｂ）を発熱させ予熱した後、前記スイッチング素子（TR1,TR2）を動作制御して前記高周波交流の前記共振周波数をずらすことにより前記点灯交流用共振回路を共振させて、前記フィラメント間（Ｆｍ１ａ，Ｆｍ１ｂ間、Ｆｍ２ａ，Ｆｍ２ｂ間）に高周波点灯電圧を印加して、且つ前記電流検出部８で検出される電圧の変動に基づき前記管電流が一定となるように前記スイッチング素子（TR1,TR2）により前記高周波点灯電圧の周波数を制御するようになっている。
【００３５】
この構成によれば、簡単な構成で放電灯（第１，第２放電灯Ｄｔ１，Ｄｔ２）を点灯させて、放電灯（第１，第２放電灯Ｄｔ１，Ｄｔ２）の点灯時の管電流のみを検出するようにできる。
【００３６】
また、この発明の実施の形態の放電灯点灯装置において、前記負荷回路２は前記高周波交流が供給される一次巻線及び前記一次巻線（一次コイルＬ１）に磁気結合された二次巻線（二次コイルＬ２ａ〜Ｌ２ｃ）が設けられたトランスＴ１を備えている。更に、前記点灯交流用共振回路は前記一次巻線（一次コイルＬ１）を備え、前記予熱用共振回路は前記二次巻線（二次コイルＬ２ａ〜Ｌ２ｃ）を備えている。
【００３７】
この構成によれば、制御回路１から負荷回路２に供給される高周波電流の周波数のみの制御により、負荷回路２のフィラメント電流経路に供給するフィラメント電流（予熱電流）を制御して、放電灯（第１，第２放電灯Ｄｔ１，Ｄｔ２）の点灯時の管電流のみを検出できるので、放電灯（第１，第２放電灯Ｄｔ１，Ｄｔ２）内を流れる管電流が一定の所定値（目標値）となる制御が容易である。
【符号の説明】
【００３８】
１・・・制御回路（高周波交流発生手段、電流制御手段の一部）
２・・・負荷回路
３・・・管電流制御回路（電流制御手段の一部）
４・・・駆動回路
８・・・管電流検出部（管電流検出手段）
９・・・予熱回路（予熱用共振回路）
９ｉ１・・・第１フィラメント電流経路
９ｉ２・・・第２フィラメント電流経路
９ｉ３・・・第３フィラメント電流経路
１１ 平滑回路
Ｃ１，Ｃ７・・・コンデンサ（点灯交流用共振回路の一部）
Ｄｔ１・・・第１放電灯（放電灯）
Ｄｔ２・・・第２放電灯（放電灯）
Ｅ１・・・直流電源
Ｆｍ１ａ・・・フィラメント
Ｆｍ１ｂ・・・フィラメント
Ｆｍ２ａ・・・フィラメント
Ｆｍ２ｂ・・・フィラメント
Ｌ１・・・一次コイル（点灯交流用共振回路の一部）
Ｌ２ａ・・・二次コイル
Ｌ２ｂ・・・二次コイル
Ｌ２ｃ・・・二次コイル
Ｒ３ 抵抗
Ｔ１ トランス
ＴＲ１ スイッチング素子
ＴＲ２ スイッチング素子
【図１】
2011187294.tif 000003